(57)【特許請求の範囲】
【請求項１】
ケーシングを形成するために組み付けられる上側ハーフシェル（３）および下側ハーフシェルと、
前記ケーシング内に装着されるように構成される挿入体展開モジュールであって、
前記挿入体展開モジュールは、
引き込み位置と展開位置との間で回動できるように前記ケーシング内に装着される挿入体と、
ユーザにより軸方向に押圧されるように前記上側ハーフシェル（３）から軸方向に突出するとともに、前記ケーシングの対応する回転防止手段（１０）と係合する回転防止手段（９）を含むプッシュボタン（８）であり、これらの回転防止手段（９，１０）がプッシュボタン（８）の軸方向の並進（Ａ−Ａ）を案内する、プッシュボタン（８）と、
前記プッシュボタン（８）が押圧されるときに前記挿入体を展開位置へ向けて回動させるために、第１の端部が前記挿入体に取り付けられ、第２の端部が前記プッシュボタン（８）に取り付けられる弾性戻し要素と、
を備え、
前記挿入体展開モジュールは、前記ケーシングの一方の前記ハーフシェルの相補的保持手段（１８）と係合する前記プッシュボタン（８）に設けられる保持手段（１７）を備え、
これらの保持手段（１７，１８）は、前記プッシュボタン（８）が軸方向に並進移動（Ａ−Ａ）できるようにするべく構成され、
前記相補的保持手段は、前記ケーシングが開放され又は分解された場合に、前記ケーシングの前記一方のハーフシェルにおいて前記挿入体展開モジュールを保持することを特徴とする引き込み式キー。
【請求項２】
前記プッシュボタン（８）の前記保持手段（１７）が前記プッシュボタン（８）と一体の部分として形成されることを特徴とする請求項１に記載のキー。
【請求項３】
前記保持手段（１７）、軸方向並進（Ａ−Ａ）のガイドとしての役目を果たす前記プッシュボタン（８）の前記回転防止手段（９）、および、前記挿入体を前記引き込み位置でロックするために前記挿入体と係合する保持突起（１６）は、前記プッシュボタン（８）と一体の部分として形成されることを特徴とする請求項２に記載のキー。
【請求項４】
前記ケーシングの前記相補的保持手段（１８）が前記上側ハーフシェル（３）に設けられることを特徴とする請求項１から３のいずれか一項に記載のキー。
【請求項５】
前記ケーシングの前記相補的保持手段（１８）が前記上側ハーフシェル（３）の１つの内壁に一体部分として形成されることを特徴とする請求項４に記載のキー。
【請求項６】
前記ケーシングの前記下側ハーフシェルの内部キャビティ内に収容される遠隔制御装置を備え、
前記ケーシングを取り外し可能な態様で開放し或いは閉塞するために、２つのハーフシェルである上側ハーフシェルと下側ハーフシェルとがスナップ嵌合によって係合することを特徴とする請求項４または請求項５に記載のキー。
【請求項７】
前記プッシュボタン（８）の前記保持手段（１７）と前記ケーシングの前記相補的保持手段（１８）とが取り外し可能であることを特徴とする請求項１から６のいずれか一項に記載のキー。
【請求項８】
前記プッシュボタン（８）の前記保持手段（１７）と前記ケーシングの前記相補的保持手段（１８）とがスナップ嵌合によって係合することを特徴とする請求項７に記載のキー。
【請求項９】
少なくとも１つのスナップ嵌合切欠き（１７）が前記プッシュボタン（８）の１つの側壁に形成され、
前記上側ハーフシェル（３）の１つの内壁が少なくとも１つの相補的な弾性タブ（１８）を有し、該タブの端部は、前記スナップ嵌合切欠き（１７）へ向けて突き出すスナップ嵌合歯（１８ａ）を有することを特徴とする請求項８および、請求項２または請求項３、および請求項４から６のいずれか一項に記載のキー。
【請求項１０】
前記プッシュボタン（８）が通過する前記上側ハーフシェル（３）の貫通穴（７）のカラーに形成される少なくとも２つの切り込み（１０）によって形成される少なくとも２つの相補的な弾性タブ（１８）を備え、
前記切り込み（１０）は、前記プッシュボタン（８）を軸方向で案内するとともに、前記プッシュボタンが回転するのを防止するために、前記プッシュボタン（８）の前記回転防止手段（９）と係合することを特徴とする請求項９に記載のキー。
【請求項１１】
引き込み式キーのための挿入体展開モジュールであって、該モジュールが前記キーのケーシング内に装着されるように構成され、
キービット支持体（１１）と、該キービット支持体（１１）に強固に取り付けられるキービットとを含む挿入体と、
前記キービット支持体（１１）のハウジング（５）内に受けられるとともに、そのハウジング（５）から軸方向で前記キービット支持体（１１）から突出するプッシュボタン（８）であり、前記プッシュボタン（８）が、前記ケーシングの対応する回転防止手段（１０）と係合するようになっている回転防止手段（９）を含み、これらの回転防止手段（９，１０）が前記プッシュボタン（８）の軸方向の並進（Ａ−Ａ）を案内する、プッシュボタン（８）と、
第１の端部が前記キービット支持体（１１）に取り付けられ、第２の端部が前記プッシュボタン（８）に取り付けられる弾性戻し要素と、
を備え、
前記挿入体展開モジュールは、前記プッシュボタン（８）に設けられるとともに前記ケーシングの一方のハーフシェルの相補的保持手段（１８）と係合するようになっている保持手段（１７）を備え、
前記相補的保持手段は、前記ケーシングが開放され又は分解された場合に、前記ケーシングの前記一方のハーフシェルにおいて前記挿入体展開モジュールを保持することを特徴とする挿入体展開モジュール。
【発明の詳細な説明】
【技術分野】
【０００１】
本発明は、ケーシングと、ケーシング内に引き込まれ得る挿入体とを備える、特に自動車用の引き込み式挿入体を有するキーに関する。また、本発明は、ケーシング内に装着されるようになっている挿入体展開モジュールに関する。
【背景技術】
【０００２】
２つのハーフシェルを有するケーシングと、ケーシング内に装着されるように構成される挿入体展開モジュールとを備える特に自動車用の引き込み式キーは、国際公開第２０１０／０２３２９４号パンフレットから既に知られる。
【０００３】
挿入体展開モジュールは、挿入体がケーシング内に引き込まれる引き込み位置と挿入体がケーシングの外側に至らされる展開位置との間で回動できるように装着されるキービットを形成する挿入体を備える。また、挿入体展開モジュールは、ユーザによって作動されるようにケーシングの上側ハーフシェルから軸方向に突出するプッシュボタン、および、弾性戻し要素も備える。弾性戻し要素の第１の端部は、プッシュボタンが作動されるときに挿入体を展開位置へ向けて回動させるべく挿入体に取り付けられ、第２の端部はプッシュボタンに取り付けられる。また、プッシュボタンは、ケーシングの対応する回転防止手段と係合する回転防止手段も備え、これらの回転防止手段はプッシュボタンの軸方向並進を案内する。
【０００４】
回転が防止されるプッシュボタンは、いかなる任意の形状を有するプッシュボタンを使用できるようにするとともに、挿入体がより良好な曲げ強度を有することができるようにする。
【０００５】
また、弾性戻し要素がプレストレスを付与された状態でケーシングとは無関係に組み付けられ得る挿入体展開モジュールは、それを予め組み立てて、ある供給業者により、異なる製造業者へ、例えば車両の開放可動部の中央ロック／アンロックを制御するための遠隔制御装置を専門に扱う製造業者へ供給することができる。
【先行技術文献】
【特許文献】
【０００６】
【特許文献１】国際公開第２０１０／０２３２９４号パンフレット
【発明の概要】
【発明が解決しようとする課題】
【０００７】
本発明は、従来技術の引き込み式キーの改良を提案する。
【課題を解決するための手段】
【０００８】
そのため、本発明は、
ケーシングを形成するために組み付けられる上側ハーフシェルおよび下側ハーフシェルと、
前記ケーシング内に装着されるように構成される挿入体展開モジュールであって、
引き込み位置と展開位置との間で回動できるようにケーシング内に装着される挿入体と、
ユーザにより軸方向に押圧されるように上側ハーフシェルから軸方向に突出するとともに、ケーシングの対応する回転防止手段と係合する回転防止手段を備えるプッシュボタンであり、これらの回転防止手段がプッシュボタンの軸方向の並進を案内する、プッシュボタンと、
プッシュボタンが押圧されるときに挿入体を展開位置へ向けて回動させるために、その第１の端部が挿入体に取り付けられ、その第２の端部がプッシュボタンに取り付けられる弾性戻し要素と、
を備える前記挿入体展開モジュールと、
を備える引き込み式キーにおいて、
前記挿入体展開モジュールが、ケーシングの一方のハーフシェルの相補的保持手段と係合するプッシュボタンに設けられる保持手段を備え、これらの保持手段が、プッシュボタンが軸方向に並進移動できるようにするべく構成されることを特徴とする引き込み式キーに関する。
【０００９】
このように、２つのハーフシェル、すなわち、上側ハーフシェルと下側ハーフシェルとを組み付ける前に複数の保持手段を使用して挿入体展開モジュールをケーシングの一方のハーフシェルに取り付けることができるため、ケーシング内への挿入体展開モジュールの装着が容易になる。
【００１０】
また、ケーシングが取り外し可能な開閉のための手段を有すると、ユーザは、ケーシングの内部に容易にアクセスして、例えば、セルまたはバッテリーなどの遠隔制御装置の電力供給手段を交換することができるとともに、続けて、ケーシングのハーフシェルの一方の背面にハッチを必要とすることなく、また、保持手段によりケーシングに保持されるようになっている挿入体展開モジュールのケーシング内への再配置の困難がなく、この手段を交換することができる。
【００１１】
更に、保持手段は、それ自体の回転が防止されるプッシュボタンに設けられるため、保持手段は、挿入体が引き込み位置または展開位置へ回動するのを防止しない。
【００１２】
このように、プッシュボタンは、ケーシングと協働する挿入体展開モジュールによって様々な機能を果たすための、とりわけ、挿入体展開モジュールをケーシングに保持するとともにプッシュボタンを案内するための幾つかの手段を与える。したがって、挿入体展開モジュールに属する複数の手段を形成する部分の数が減少される。
【００１３】
引き込み式キーの単独で或いは組み合わせて考慮される１つ以上の特徴によれば、
プッシュボタンの保持手段がプッシュボタンと一体の部分として形成され、
保持手段、軸方向並進のガイドとしての役目を果たすプッシュボタンの回転防止手段、および、挿入体を引き込み位置でロックするために挿入体と係合する保持突起は、プッシュボタンと一体の部分として形成され、
ケーシングの相補的保持手段が上側ハーフシェルに設けられ、
ケーシングの相補的保持手段が上側ハーフシェルの１つの内壁に一体部分として形成され、
引き込み式キーがケーシングの下側ハーフシェルの内部キャビティ内に収容される遠隔制御装置を備え、ケーシングを取り外し可能な態様で開放し或いは閉塞するために、２つのハーフシェル、すなわち、上側ハーフシェルと下側ハーフシェルとがスナップ嵌合によって係合し、
プッシュボタンの保持手段とケーシングの相補的保持手段とが取り外し可能であり、
プッシュボタンの保持手段とケーシングの相補的保持手段とがスナップ嵌合によって係合し、
少なくとも１つのスナップ嵌合切欠きがプッシュボタンの１つの側壁に形成され、上側ハーフシェルの１つの内壁が少なくとも１つの相補的な弾性タブを有し、該タブの端部は、スナップ嵌合切欠きへ向けて突き出すスナップ嵌合歯を有し、
キーは、プッシュボタンが通過する上側ハーフシェルの貫通穴のカラーに形成される少なくとも２つの切り込みによって形成される少なくとも２つの相補的な弾性タブを備え、前記切り込みは、プッシュボタンを軸方向で案内するとともに、プッシュボタンが回転するのを防止するために、プッシュボタンの回転防止手段と係合する。
【００１４】
また、本発明は、引き込み式キーのための挿入体展開モジュールであって、該モジュールが前記キーのケーシング内に装着されるように構成され、前記挿入体展開モジュールが、
キービット支持体と、該キービット支持体に強固に取り付けられるキービットとを備える挿入体と、
キービット支持体のハウジング内に受けられるとともに、そのハウジングから軸方向でキービット支持体から突出するプッシュボタンであり、前記プッシュボタンが、ケーシングの対応する回転防止手段と係合するようになっている回転防止手段を備え、これらの回転防止手段がプッシュボタンの軸方向の並進を案内する、プッシュボタンと、
その第１の端部がキービット支持体に取り付けられ、その第２の端部がプッシュボタンに取り付けられる弾性戻し要素と、
を備え、
前記挿入体展開モジュールが、プッシュボタンに設けられるとともにケーシングの相補的保持手段と係合するようになっている保持手段を備えることを特徴とする挿入体展開モジュールにも関連する。
【００１５】
本発明の他の特徴および利点は、単なる例示であって専ら非限定的である以下の説明および添付図面を読むと更に明確に分かる。
【図面の簡単な説明】
【００１６】
【図１】組み付け状態の引き込み式キーの挿入体展開モジュールの要素および上側ハーフシェルの詳細の断面図を示している。
【図２】図１の引き込み式キーの挿入体展開モジュールの要素および上側ハーフシェルの斜視図を示し、上側ハーフシェルおよび挿入体展開モジュールが分解状態にある。
【図３】図１のプッシュボタンの斜視図を示している。
【図４】上側ハーフシェルの内壁の斜視図である。
【００１７】
図中、同一の要素が同じ参照符号を伴う。
【発明を実施するための形態】
【００１８】
特に自動車用の引き込み式キーは、カバーを形成する上側ハーフシェル３（図１，２および４）と、ベースを形成する下側ハーフシェル（図示せず）とを備える。上側ハーフシェル３および下側ハーフシェルは、引き込み式キーのためのケーシングを形成するべく組み付けられる。
【００１９】
２つのハーフシェルは、一般に、プラスチックから形成され、例えばスナップ嵌合によって（または、ラッチ、すなわち、弾性変形によって）組み付けられ得る。このため、上側ハーフシェル３は、ケーシングを取り外し可能な態様で開放し或いは閉じるために、スナップ嵌合窪みの形態を成す下側ハーフシェルの対応する特徴部と弾性変形によって係合するようになっている外周スナップ嵌合縁部４を有する。
【００２０】
下側ハーフシェルは、例えば、遠隔制御装置（図示せず）を収容することができるようにする内部キャビティを有する。それ自体知られる態様で、遠隔制御装置は、キーの様々な機能、特に、開放可動部の中央ロック／アンロックおよび自動車盗難防止システムまたは駐車場内での自動車の場所の特定といった機能を制御できるようにする。
【００２１】
遠隔制御装置は、車両の開放可動部の中央ロック／アンロック、車両盗難防止システムのためのトランスポンダ、および、セルまたはバッテリーから成る電力供給手段の遠隔制御のための電子回路を有するプリント回路基板を備える。
【００２２】
遠隔制御機能は、上側ハーフシェル３に設けられる作動手段６を用いてユーザにより作動され、また、上側ハーフシェルの裏面を図２および図４において見ることができる。作動手段６は、プリント回路基板のスイッチを起動させることができるようにする。
【００２３】
また、上側ハーフシェル３は、挿入体展開モジュールのプッシュボタン８が通過できる貫通穴７も備える。例えば、貫通穴７は円形であり、プッシュボタン８は、円柱状の側壁を伴う対応するベル形状を有する。
【００２４】
プッシュボタン８は、それがユーザにより押圧されて挿入体展開モジュールからの挿入体の展開を引き起こすことができるように上側ハーフシェル３の貫通穴７から軸方向に（図１の長手方向軸Ａ−Ａに沿って）突出する。
【００２５】
プッシュボタン８は、プッシュボタン８が押圧されるときにプッシュボタンがケーシングに対して回転するのを防止するためにケーシングの対応する回転防止手段と係合する回転防止手段を備える。これらの回転防止手段は、プッシュボタン８の長手方向軸Ａ−Ａに沿うプッシュボタン８の軸方向並進もガイドする。
【００２６】
図３に示される１つの典型的な実施形態によれば、軸方向ガイドとしての役目を果たすプッシュボタン８の回転防止手段は、プッシュボタン８の側壁の外面上に同じ高さで一定の間隔で離間される３つの案内スナッグ９を備える。案内スナッグ９は、軸Ａ−Ａに沿うプッシュボタン８の軸方向の摺動を案内するとともに、プッシュボタンが回転するのを防止するために、上側ハーフシェル３の貫通穴７のカラーに形成される３つのそれぞれの対応する切り込み１０（図２）と係合する。
【００２７】
回転が防止されるプッシュボタン８は、いかなる任意の形状を有するプッシュボタンを使用できるようにするとともに、挿入体がより良好な曲げ強度を有することができるようにする。
【００２８】
プッシュボタン８および挿入体に加えて、挿入体展開モジュールは弾性戻し要素（図示せず）を備える。
【００２９】
より正確には、挿入体は、キービット支持体１１と、キービット支持体１１に強固に取り付けられるキービット（図示せず）とを備える。キービットは、例えば、その一端がキービット支持体１１の相補的な止まり穴１２内に入れ子にされる（図２）。キービット支持体１１／キービットアセンブリは、例えばピンによって固定保持される。
【００３０】
プッシュボタン８はキービット支持体１１のハウジング５内に受けられ、プッシュボタンは、ハウジングから突出する（図１）とともに、それがユーザにより押圧されるときに長手方向軸Ａ−Ａに沿ってハウジング内へと軸方向で摺動できる。
【００３１】
弾性戻し要素は、プッシュボタン８が押圧されるときに挿入体を展開位置へ向けて回動させるために挿入体に取り付けられる第１の端部と、プッシュボタン８に取り付けられる第２の端部とを有する。戻し要素は、例えば螺旋ねじりバネである。
【００３２】
プッシュボタン８は戻し要素を収容する中空の内部空間を有し、該内部空間の底部は、第２の端部が上側ハーフシェル３に対して回転するのを防止する第１のスロット１４を有する（図１）。また、キービット支持体１１の基部は、キービット支持体１１のための回動端部ストッパとしての役目も果たす径方向ブリッジによりキービット支持体１１の側壁に接続される中空ペグ１５を備えることができる。中空ペグ１５は、弾性戻し要素（図示せず）の第１の端部を取り付けるための第２のスロットを有する。
【００３３】
挿入体は、ケーシング内の引き込み位置とケーシングから突出する展開位置との間で回動できるようにケーシング内に装着される。引き込み位置において、挿入体は、例えば、挿入体の形状に対応する例えば略Ｌ形状を成すケーシングの１つの境界の凹部１３内に収容される。展開位置において、挿入体は、キービットを対応するロック内へ挿入できるように１８０°にわたって回動してケーシングから突出する。
【００３４】
また、プッシュボタン８およびキービット支持体１１は、引き込み位置で挿入体を保持するべく係合する。この目的を果たすため、プッシュボタン８は、引き込み位置で挿入体を保持するための少なくとも１つの保持突起１６を備え、また、キービット支持体１１は、保持突起１６と係合する対応する穴（図示せず）を備える。引き込み位置では、保持突起１６が対応するアセンブリ内に係合し、それにより、戻し要素にプレストレスがかけられる。プッシュボタンが押圧されると、保持突起１６が対応する穴から解放され、それにより、キービット支持体１１が展開位置へと回動できるようになる。したがって、プッシュボタンがユーザにより押圧されると、プッシュボタン８が挿入体を解放する。ユーザがプッシュボタンを解放すると、弾性要素がプッシュボタン８をキービット支持体１１から突出する位置へと戻す。
【００３５】
挿入体、プッシュボタン８、および、弾性要素を備える挿入体展開モジュールは、弾性戻し要素がプレストレスを付与された状態で装着されつつケーシングとは無関係に組み付けられ得るユニットを形成する。したがって、挿入体展開モジュールを予め組み立てて、ある供給業者から、異なる製造業者へ、例えば遠隔制御装置を専門に扱う製造業者へ、挿入体展開モジュールを供給することができる。
【００３６】
展開モジュールが組み付けられると、展開モジュールをケーシング内に装着することができる。この目的を達成するため、挿入体展開モジュールは、プッシュボタン８に設けられてケーシングの上側ハーフシェル３または下側ハーフシェルの相補的な保持手段と係合する保持手段を備える。また、保持手段は、プッシュボタン８がケーシングに対して軸方向に並進移動できるようにするべく構成される。
【００３７】
このように、２つのハーフシェル、すなわち、上側ハーフシェルと下側ハーフシェルとを組み付ける前に複数の保持手段を使用して挿入体展開モジュールをケーシングの一方のハーフシェルに取り付けることができるため、ケーシング内への挿入体展開モジュールの装着が容易になる。
【００３８】
また、保持手段は、回転が防止されるプッシュボタン８に設けられるため、保持手段は、挿入体が引き込み位置または展開位置へ回動するのを防止しない。
【００３９】
ケーシングの相補的な保持手段は、例えば、ケーシングの上側ハーフシェル３に設けられ、その場合、保持手段は、例えば、上側ハーフシェル３の内面の一体部分として形成される。
【００４０】
したがって、引き込み式キーがケーシングの下側ハーフシェルの内部キャビティ内に収容される遠隔制御装置を備える場合であって、ケーシングを取り外し可能な態様で開放し或いは閉塞するために２つのハーフシェルがスナップ嵌合によって係合する場合、ユーザは、セルまたはバッテリーなどの電力供給手段に容易にアクセスすることができるとともに、続けて、下側ハーフシェルの背面にハッチを必要とすることなく、また、複数の保持手段により上側ハーフシェル３に保持されるようになっている挿入体展開モジュールのケーシング内への再配置を困難にすることなく、この手段を交換することができる。
【００４１】
プッシュボタン８の保持手段およびケーシングの相補的な保持手段は、例えばそれらがスナップ嵌合により係合するという点において、取り外し可能である。
【００４２】
この目的を達成するため、少なくとも１つのスナップ嵌合切欠き１７がプッシュボタンの１つの側壁に形成される（図３）。例えば、一定の間隔で離間される３つのスナップ嵌合切欠き１７が、ケーシングから突出するプッシュボタン８の上部よりも下側において、プッシュボタン８の側壁に同じ高さで形成される。
【００４３】
また、上側ハーフシェル３の１つの内壁は、スナップ嵌合切欠きの方へ延びる少なくとも１つの相補的な弾性タブ１８を有し、このタブの一端は、スナップ嵌合切欠き１７の内部へ向けて突き出すスナップ嵌合歯１８ａを有する（図１）。したがって、上側ハーフシェル３は、例えば、内壁の一体部分として形成される３つの相補的な弾性タブ１８を有する（図４）。
【００４４】
相補的な弾性タブ１８は、プッシュボタン８、したがって挿入体展開モジュールを上側ハーフシェル３にスナップ嵌合させるために、スナップ嵌合切欠き１７と弾性変形によって係合する。
【００４５】
弾性タブ１８の歯１８ａは、スナップ嵌合切欠き１７の上縁および下縁により形成される２つの軸方向ストッパ間で軸方向に並進移動でき、それにより、プッシュボタン８は、該プッシュボタン８が上側ハーフシェル３に保持されつつ、ケーシングに対して軸方向に並進移動できる。
【００４６】
弾性タブ１８は、例えば、プッシュボタン８の回転防止手段を軸方向で案内するために貫通穴７のカラーに形成される切り込み１０間に残される上側ハーフシェル３の残存材料によって形成される。したがって、残存するカラー部分の端部が、プッシュボタン８のスナップ嵌合切欠き１７ヘ向けて貫通穴７の中心方向に突き出すスナップ嵌合歯１８ａを有する。
【００４７】
保持手段、軸方向並進のガイドとしての役目を果たす回転防止手段、および、挿入体を引き込み位置でロックするために挿入体と係合する保持突起１６は、例えば、プッシュボタン８と一体の部分として形成される。言い換えると、図３から分かるように、単一部品として形成されるプッシュボタン８は、戻し要素を収容するための中空の内部空間と、戻し要素の第２の端部を取り付けるためにプッシュボタン８の基部と一体の部分として形成されるリップ１４と、例えばプッシュボタン８の側壁から突出する案内スナッグ９によって形成される軸方向並進ガイドとしての役目を果たす回転防止手段と、例えばプッシュボタン８の前記側壁に形成される切欠き１７から成る保持手段とを有する。
【００４８】
このように、プッシュボタン８は、ケーシングと協働する挿入体展開モジュールによって様々な機能を果たすための、とりわけ、挿入体展開モジュールをケーシングに保持するとともにプッシュボタン８の動きを案内するための幾つかの手段を与える。したがって、挿入体展開モジュールに属する複数の手段を形成する部分の数が減少される。
【００４９】
この場合、プッシュボタン８を上側ハーフシェル３の貫通穴７に通して、このハーフシェルの弾性タブ１８をプッシュボタン８のスナップ嵌合切欠き１７にスナップ嵌合させることにより、挿入体展開モジュールをスナップ嵌合によって上側ハーフシェル３に組み付けることができる。その後、下側ハーフシェルが上側ハーフシェル３にスナップ嵌合されて、ケーシングが形成される。
【００５０】
したがって、プッシュボタン８が押圧されると、戻し要素が緩み、キービット支持体１１が回動して、キービットがその凹部１３から抜け出る。その後、ユーザは、対応するロック内の展開位置にある挿入体のキービットを使用できる。使用後、ユーザは、プッシュボタン８の保持突起１６をキービット支持体１１の対応する穴に再び係合させるためにプッシュボタン８を押圧することにより元の凹部１３内の引き込み位置へと挿入体を収めることができる。また、ケーシングの内部へのアクセスは、例えば電力供給手段を交換するために必要とされ、その場合、ユーザは、挿入体展開モジュールが上側ハーフシェル３に保持されたままであるため、挿入体展開モジュールをケーシング内に再び容易に組み付けることができないというリスクを伴うことなく、上側ハーフシェル３を下側ハーフシェルから分解する。
【図１】
0006017434.tif 000002
【図２】
0006017434.tif 000003
【図３】
0006017434.tif 000004
【図４】
0006017434.tif 000005